(57)【要約】    【課題】  音声入力手段の指向性を最適に設定することができる携帯端末装置を提供することにある。    【解決手段】  携帯端末装置１は、保持部１a、可動部１b及びカメラ部１ｃから構成され、カメラ部１ｃは、可動部１ｂに回動軸４により回動自在に保持されている。保持部１ａは、撮像部７により撮像した映像及びマイクロフォン８により入力した音声を送受信する第１の通話モードと、マイクロフォン８により入力した音声を送受信する第２の通話モードと、撮像した映像及び/又は音声入力手段により入力した音声を記録する撮影モードとを切換える動作モード切換えスイッチ１０を備える。動作モードが第１の通話モードのときは、マイクロフォン８の指向性を中間の状態に切換え、第２の通話モードのときは、マイクロフォン８の指向性を狭い状態に切換え、撮影モードであるときは、マイクロフォン８の指向性を広い状態に切換える。【選択図】    図３
2006101457.tif 000002
【特許請求の範囲】
【請求項１】
映像を撮像する撮像手段と、音声を入力すると共に切替え自在な指向性を有する音声入力手段と、映像及び/又は音声の送受信を行う通信手段とを備えた携帯端末装置において、少なくとも、前記撮像手段により撮像した映像及び前記音声入力手段により入力した音声を前記通信手段により送受信する第１の通話モードと、前記音声入力手段により入力した音声を前記通信手段により送受信する第２の通話モードとを含む複数の動作モードを切換える動作モード切換え手段と、前記動作モード切換え手段によって切換えられた動作モードに応じて前記音声入力手段の指向性を切換える音声切換え手段とを備えることを特徴とする携帯端末装置。
【請求項２】
前記複数の動作モードは、前記撮像手段により撮像した映像及び/又は前記音声入力手段により入力した音声を入力する撮影モードを含むことを特徴とする請求項１記載の携帯端末装置。
【請求項３】
前記撮像手段は、その光軸方向を変更可能であり、前記携帯端末は、前記撮像手段の光軸の方向を検出する検出手段とを備え、前記音声切替え手段は、前記動作モード切換え手段によって切換えられた動作モード及び前記検出手段によって検出された前記撮像手段の光軸の方向に応じて前記音声入力手段の指向性を切換えることを特徴とする請求項１又は２に記載の携帯端末装置。
【請求項４】
映像を撮像する撮像手段と、音声を入力すると共に指向性が異なる複数の音声入力手段と、映像及び/又は音声の送受信を行う通信手段とを備えた携帯端末装置において、少なくとも、前記撮像手段により撮像した映像及び前記音声入力手段により入力した音声を前記通信手段により送受信する第１の通話モードと、前記音声入力手段により入力した音声を前記通信手段により送受信する第２の通話モードとを含む複数の動作モードを切換える動作モード切換え手段と、前記動作モード切換え手段によって切換えられた動作モードに応じて前記複数の音声入力手段のいずれかを選択する選択手段とを備えることを特徴とする携帯端末装置。
【請求項５】
前記複数の動作モードは、前記撮像手段により撮像した映像及び/又は前記音声入力手段により入力した音声を入力する撮影モードを含むことを特徴とする特許請求の範囲４に記載の携帯端末装置。
【請求項６】
前記撮像手段は、その光軸方向を変更可能であり、前記携帯端末装置は、前記撮像手段の光軸の方向を検出する検出手段とを備え、前記音声切替手段は、前記動作モード切換え手段によって切換えられた動作モード及び前記検出手段によって検出された前記撮像手段の光軸の方向に応じて、前記複数の音声入力手段のいずれかを選択することを特徴とする請求項４又は５に記載の携帯端末装置。
【請求項７】
映像を撮像する撮像手段と、音声を入力する音声入力手段と、音声を出力する音声出力手段と、映像及び/又は音声の送受信を行う通信手段とを備えた携帯端末装置において、少なくとも、前記撮像手段により撮像した映像及び前記音声入力手段により入力した音声を前記通信手段により送受信する第１の通話モードと、前記音声入力手段により入力した音声のみを前記通信手段により送受信する第２の通話モードを含む複数の動作モードを切換える動作モード切換え手段と、前記動作モード切換え手段によって切換えられた動作モードに応じて前記音声出力手段の音量を切換える音量切換え手段とを設けたことを特徴とする携帯端末装置。
【発明の詳細な説明】
【技術分野】
【０００１】
本発明は、携帯端末装置に関する。
【背景技術】
【０００２】
従来、携帯端末としては、携帯電話、ＰＨＳ、デジタルカメラ、デジタルビデオカメラ等があるが、最近では、これらのうちの複数の機能を合わせて備える携帯端末が提案されている。このような携帯端末によれば、同時に複数の種類の携帯端末を持ち運ぶ必要がなく、携帯性が向上するという利点がある。また、複数の携帯端末に共通して必要な装置や機能も多いため、複数の機能を１台に合わせて備える場合においては、これら共通する装置を共用することができ、小型で軽量の携帯端末の特性を損うことなく複数の機能を備えることができる。
【０００３】
複数の機能を備えた従来の携帯端末の例としては、複数のＣＣＤカメラを備えることにより、回りの風景と自分の表情を同時に送信可能なテレビ電話・ビデオカメラ機能、さらには、ペン入力機能やデータ通信機能を有する多機能携帯端末が提案され（例えば、特許文献１参照）、また、光軸の方向を変更可能な撮像手段と音声入力手段を夫々複数備えることにより、選択された撮像装置の光軸方向に応じて音声入力手段の指向性を切換えるビデオフォンが提案されている（例えば、特許文献２参照）。
【特許文献１】特開２００１−１６９１６６号公報
【特許文献２】特開平１１−１８７２９５号公報
【発明の開示】
【発明が解決しようとする課題】
【０００４】
しかしながら、前者の多機能携帯端末は、音声入力手段が１つなので、音声入力手段の指向性を、撮像手段を使用しない通常の通話モードに適した設定にした場合、即ち、周囲の雑音をカットするために指向性を狭く設定した場合、撮像手段を使用する通話モード又は撮影のみを行うモードにして周囲の風景を撮影する時に、特定の音声のみを集音することになり、周囲の雰囲気を伝える音声を集音できないという問題があり、一方、音声入力手段の指向性を、撮像手段を使用する通話モード又は撮影のみを行うモードに適した設定にした場合、即ち、周囲の雰囲気を伝える音声を集音するために指向性を広く設定した場合、撮像手段を使用しない通常の通話モードで通話するときに、周囲のノイズを集音してしまう、という問題点があった。
【０００５】
また、後者のビデオフォンは、撮像手段を使用しない通常の通話モード時、及び通話は行わない撮影モード時における音声入力手段の指向性については全く考慮されておらず、撮像手段を使用しない通常の通話モード時に、撮像手段の光軸が通話者以外の方向になっていた場合に、通話者の方向への音声入力手段の指向性が広くなるため、周囲のノイズを集音してしまうという問題があり、さらに、撮像手段及び音声入力手段を夫々複数必要とするため、携帯端末装置の大型化、コストアップ等の問題があった。
【０００６】
本発明の第１の目的は、音声入力手段の指向性を最適に設定することができる携帯端末装置を提供することにある。
【０００７】
本発明の第２の目的は、指向性が異なる複数の音声入力手段の中から最適な指向性のものを選択することができる携帯端末装置を提供することにある。
【０００８】
本発明の第３の目的は、音声出力手段の音量を最適に設定することができる携帯端末装置を提供することにある。
【課題を解決するための手段】
【０００９】
上記の目的を達成するために、請求項１記載の携帯端末装置は、映像を撮像する撮像手段と、音声を入力すると共に切替え自在な指向性を有する音声入力手段と、映像及び/又は音声の送受信を行う通信手段とを備えた携帯端末装置において、少なくとも、前記撮像手段により撮像した映像及び前記音声入力手段により入力した音声を前記通信手段により送受信する第１の通話モードと、前記音声入力手段により入力した音声を前記通信手段により送受信する第２の通話モードとを含む複数の動作モードを切換える動作モード切換え手段と、前記動作モード切換え手段によって切換えられた動作モードに応じて前記音声入力手段の指向性を切換える音声切換え手段とを備えることを特徴とする。
【００１０】
請求項４記載の携帯端末装置は、映像を撮像する撮像手段と、音声を入力すると共に指向性が異なる複数の音声入力手段と、映像及び/又は音声の送受信を行う通信手段とを備えた携帯端末装置において、少なくとも、前記撮像手段により撮像した映像及び前記音声入力手段により入力した音声を前記通信手段により送受信する第１の通話モードと、前記音声入力手段により入力した音声を前記通信手段により送受信する第２の通話モードとを含む複数の動作モードを切換える動作モード切換え手段と、前記動作モード切換え手段によって切換えられた動作モードに応じて前記複数の音声入力手段のいずれかを選択する選択手段とを備えることを特徴とする。
【００１１】
請求項７記載の携帯端末装置は、映像を撮像する撮像手段と、音声を入力する音声入力手段と、音声を出力する音声出力手段と、映像及び/又は音声の送受信を行う通信手段とを備えた携帯端末装置において、少なくとも、前記撮像手段により撮像した映像及び前記音声入力手段により入力した音声を前記通信手段により送受信する第１の通話モードと、前記音声入力手段により入力した音声のみを前記通信手段により送受信する第２の通話モードを含む複数の動作モードを切換える動作モード切換え手段と、前記動作モード切換え手段によって切換えられた動作モードに応じて前記音声出力手段の音量を切換える音量切換え手段とを設けたことを特徴とする。
【発明の効果】
【００１２】
請求項１記載の携帯端末装置によれば、音声入力手段の指向性を切換えるので、音声入力手段の指向性を最適に設定することができる。
【００１３】
請求項２記載の携帯端末装置によれば、動作モードが撮像手段により撮像した映像及び／又は音声入力手段により入力した音声を入力する撮影モードを含むので、携帯端末装置を多機能化することができる。
【００１４】
請求項３記載の携帯端末装置によれば、動作モード切換え手段によって切換えられた動作モード及び検出手段によって検出された撮像手段の光軸の方向に応じて音声入力手段の指向性を切換えるので、音声入力手段の指向性をさらに最適に設定することができる。
【００１５】
請求項４記載の携帯端末装置によれば、動作モード切換え手段によって切換えられた動作モードに応じて複数の音声入力手段のいずれかを選択するので、指向性が異なる複数の音声入力手段の中から最適な指向性のものを選択することができる。
【００１６】
請求項５記載の携帯端末装置によれば、動作モードが撮像手段により撮像した映像及び／又は音声入力手段により入力した音声を入力する撮影モードを含むので、携帯端末装置を多機能化することができる。
【００１７】
請求項６記載の携帯端末装置によれば、動作モード切換え手段によって切換えられた動作モード及び検出手段によって検出された撮像手段の光軸の方向に応じて複数の音声入力手段のいずれかを選択するので、さらに最適な指向性を有する音声入力手段を選択することができる。
【００１８】
請求項７記載の携帯端末装置によれば、動作モード切換え手段によって切換えられた動作モードに応じて音声出力手段の音量を切換えるので、音声出力手段の音量を最適に設定することができる。
【発明を実施するための最良の形態】
【００１９】
以下、本発明の実施の形態を図面を参照しながら詳述する。
【００２０】
図１は、本発明の実施の形態に係る携帯端末装置の外部構成を概略的に示す斜視図である。
【００２１】
図１において、携帯端末装置１は、保持部１a、可動部１b及びカメラ部１ｃから構成され、可動部１ｂは、保持部１aにヒンジ部３を介して折りたたみ自在に結合されており、カメラ部１ｃは、可動部１ｂに可動部１ｂの長手方向の回動軸４により回動自在に保持され、ＣＣＤ等の撮像素子を含む撮像部７を備え、これにより、撮像部７は、その光軸方向を変更可能である。可動部１ｂは、その中央部に画像又はその他の情報を表示する表示部５と、表示部5の上にスピーカ６を備える。また、保持部１ａは、ヒンジ部３側から、電源をオン、オフするメインスイッチ９、撮像部７により撮像した映像及び後述するマイクロフォン８により入力した音声を送受信する第１の通話モードと、後述するマイクロフォン８により入力した音声を送受信する第２の通話モードと、撮像した映像及び/又は音声入力手段により入力した音声を記録する撮影モードとを切換える動作モード切換えスイッチ１０（動作モード切替手段）、動作モード切換えスイッチ１０により動作モードが撮影モードになっている場合、映像及び/又は音声の記録をスタート又はストップさせるスタート/ストップスイッチ１１、その他の機能切換えやデータ入力等を行う入力スイッチ１２、指向性を切換え可能なマイクロフォン８（音声入力手段）を備える。
【００２２】
図２は、図１の携帯端末装置の内部構成を概略的に示すブロック図である。
【００２３】
図２において、携帯端末装置１は、アンテナ２１、通信回路部２２（通信手段）、携帯端末装置１の全体の制御を司る主制御部２３、マイクロフォン８によって取得された音声データを音声信号に変換する処理、マイクロフォン８の指向性を切換える制御、スピーカの音量を切換える制御等を行う音声処理・制御部２５（音声切替手段、音量切替手段）、撮像部７によって撮像された画像データを画像信号に変換する画像処理部２６、画像データ又は音声データ等を記憶する記憶部２４、表示部５の表示を制御する表示制御部２７等から成る。
【００２４】
図２において、動作モード切換えスイッチ１０により、動作モードが映像及び音声を送受信する第１の通話モードに切換わっている場合、アンテナ２１で受信した信号は通信回路部２２の受信部で復調等の処理を施された後、音声データは音声処理・制御部２５に送られ、画像データは画像処理部２６に送られる。音声処理・制御部２５に送られた音声データは、音声信号として処理され、スピーカ６に出力される。また、画像処理部２６に送られた画像データは、画像処理部２６において、伸長処理等を施された後、表示制御部２７に送られて、表示用の画像信号に変換されると共に、主制御部２３からの指示により、画像信号や文字信号を付加して、表示部５に出力され、受信画像として表示される。
【００２５】
一方、マイクロフォン８から入力された音声信号は、音声処理・制御部２５に送られて適宜の処理を受けて音声データとされ、次いで、通信回路部２２に送られて通信回路部２２の送信部で適宜に変調等の処理を施された後、アンテナ２１から送信される。
【００２６】
撮像部７において撮像した画像データは画像処理部２６に送られ、圧縮処理等の処理を施された後、通信回路部２２に送られ、通信回路部２２の送信部で変調等の処理を施された後、アンテナ２１から送信される。
【００２７】
また、動作モード切換えスイッチ１０により、動作モードが音声のみを送受信する第２の通話モードに切換わっている場合、アンテナ２１で受信した信号は通信回路部２２の受信部で復調等の処理を施された後、音声データは音声処理・制御部２５に送られて音声信号として処理され、スピーカ６に出力される。
【００２８】
一方、マイクロフォン８から入力された音声信号は、音声処理・制御部２５に送られて、適宜の処理を受けて音声データとされ、通信回路部２２に送られて、通信回路部の送信部で適宜に変調等の処理を施された後、アンテナ２１から送信される。
【００２９】
さらに、動作モード切換えスイッチ１０により、動作モードが映像及び/又は音声を記録する撮影モードに切換わっている場合、撮像部７で撮像した画像データは、画像処理部２６に送られ、圧縮処理等の処理を施された後、記憶部２４に送られて記録される。また、マイクロフォン８から入力された音声信号は、音声処理・制御部２５に送られて、適宜の処理を受けて音声データとされ、記憶部２４に送られて記録される。
【００３０】
図３は、図２における主制御部２３によって実行されるマイクの指向性制御処理の手順を示すフローチャートである。
【００３１】
図３において、まず、動作モードが映像及び音声を送受信する第１の通話モードのときは、音声処理・制御部２５によりマイクロフォン８の指向性を中間の状態に切換え（ステップＳ２）、スピーカ６の音量を大きくし（ステップＳ３）、動作モード切換えスイッチ１０により選択されている動作モードを判別し（ステップＳ１）、動作モードが音声のみを送受信する第２の通話モードのときは、音声処理・制御部２５によりマイクロフォン８の指向性を狭い状態に切換え（ステップＳ４）、スピーカ６の音量を小さくし（ステップＳ５）、動作モードが映像及び／又は音声を記録する撮影モードであるときは、音声処理・制御部２５によりマイクロフォン８の指向性を広い状態に切換えて（ステップＳ６）、本処理を終了する。
【００３２】
なお、マイクロフォン８の指向性の切換え手段の詳細については、公知の技術（例えば、特許文献１参照）による。
【００３３】
図４は、図２における携帯端末装置の内部構成の変形例を概略的に示すブロック図である。
【００３４】
本変形例の構成は、撮像部７の光軸方向を検出する角度検出部２８（検出手段）を備えている点でのみ図２の構成と異なり、これ以外のものは、図２の構成と基本的に同じであり、図２の構成と同じものには、同一符号を付してその重複説明を省略する。角度検出部２８の詳細については、公知の技術（例えば、特許文献１参照）による。
【００３５】
図５は、図４における主制御部２３によって実行されるマイクの指向性制御処理の手順を示すフローチャートである。
【００３６】
図５において、動作モード切換えスイッチ１０により、選択されている動作モードを判別し（ステップＳ１１）、動作モードが映像及び音声を送受信する第１の通話モードのときは、角度検出部２８により撮像部７の光軸方向を判別する（ステップＳ１２）。ステップＳ１２の判別の結果、撮像部７の光軸方向が表示部５の表示面側にあるときは、音声処理・制御部２５によりマイクロフォン８の指向性を狭い状態に切換え（ステップＳ１３）、撮像部７の光軸方向が表示部５の裏側にあるときは、音声処理・制御部２５によりマイクロフォン８の指向性を広い状態に切換えて（ステップＳ１４）、本処理を終了する。
【００３７】
ステップＳ１１の判別の結果、動作モードが音声のみを送受信する第２の通話モードのときは、音声処理・制御部２５によりマイクロフォン８の指向性を狭い状態に切換えて（ステップＳ１５）、本処理を終了する。
【００３８】
ステップＳ１１の判別の結果、動作モードが映像及び／又は音声を記録する撮影モードのときは、角度検出部２８により撮像部７の光軸方向を判別する（ステップＳ１６）。ステップＳ１６の判別の結果、撮像部７の光軸方向が表示部５の表示面側にあるときは、音声処理・制御部２５によりマイクロフォン８の指向性を狭い状態に切換え（ステップＳ１７）、撮像部７の光軸方向が表示部５の裏側にあるときは、音声処理・制御部２５によりマイクロフォン８の指向性を広い状態に切換えて（ステップＳ１６）、本処理を終了する。
【００３９】
上記実施の形態において、表示部５の表示面側に、指向性が狭い第１のマイクロフォンを設け、さらに、第１のマイクロフォンが設けられている面との反対側に、第１のマイクロフォンの指向性よりも広い指向性を備えた第２のマイクロフォンを設けてもよく、表示部５の表示面側又は反対側の同じ面に指向性が異なる２つのマイクロフォンを設けてもよい。
【００４０】
上記実施の形態において、動作モード切換えスイッチ１０により、選択されている動作モードを判別し、動作モードが第１の通話モードのときに、音声処理・制御部２５により第１のマイクロフォンを非動作状態にして第２のマイクロフォンを動作状態に切換え、動作モードが第２の通話モードのときに、音声処理・制御部２５により第１のマイクロフォンを動作状態にして第２のマイクロフォンを非動作状態に切換え、さらに、動作モードが撮影モードのときに、音声処理・制御部２５により第１のマイクロフォンを非動作状態にして第２のマイクロフォンを動作状態に切換えてもよい。
【００４１】
この場合、第１のマイクロフォンと第２のマイクロフォンは異なる面に配置しているが、同じ面に配置してもよく、同様の効果がある。
【００４２】
上記の第１及び第２のマイクロフォンを設ける場合において、撮像部７の光軸方向を検出する角度検出部を備えていてもよい。
【００４３】
この場合、動作モードが第１の通話モードのときは、角度検出部により、撮像部７の光軸方向を検出し、撮像部７の光軸方向が表示部５の表示面側にあるときは、音声処理・制御部２５により、第１のマイクロフォンを動作状態にし、第２のマイクロフォンを非動作状態に切換え、撮像部７の光軸方向が表示部５の裏側にあるときは、音声処理・制御部２５により第１のマイクロフォンを非動作状態にして、第２のマイクロフォンを動作状態に切換え、動作モードが第２の通話モードのときは、音声処理・制御部２５により第１のマイクロフォンを動作状態にして、第２のマイクロフォンを非動作状態に切換え、動作モードが撮影モードのときは、角度検出部により撮像部７の光軸方向を検出し、撮像部７の光軸方向が表示部５の表示面側にあるときは、音声処理・制御部２５により第１のマイクロフォンを動作状態にして、第２のマイクロフォンを非動作状態に切換え、また、撮像部７の光軸方向が表示部５の裏側にあるときは、音声処理・制御部２５により第１のマイクロフォンを非動作状態にして、第２のマイクロフォンを動作状態に切換えてもよい。
【図面の簡単な説明】
【００４４】
【図１】本発明の実施の形態に係る携帯端末装置の外部構成を概略的に示す斜視図である。
【図２】図１の携帯端末装置の内部構成を概略的に示すブロック図である。
【図３】図２における主制御部によって実行されるマイクの指向性制御処理の手順を示すフローチャートである。
【図４】図２における携帯端末装置の内部構成の変形例を概略的に示すブロック図である。
【図５】図４における主制御部によって実行されるマイクの指向性制御処理の手順を示すフローチャートである。
【符号の説明】
【００４５】
１  帯端末装置本体
３  ヒンジ部
５  表示部
６  スピーカ
７  撮像部
８  マイクロフォン
９  メインスイッチ
１０  動作モード切換えスイッチ
２２  通信回路部
２３  主制御部
２４  記憶部
２５  音声処理・制御部
２６  画像処理部
２７  表示制御部
２８  角度検出部
３０  マイクロフォン
３１  マイクロフォン
【図１】
2006101457.tif 000003
【図２】
2006101457.tif 000004
【図３】
2006101457.tif 000005
【図４】
2006101457.tif 000006
【図５】
2006101457.tif 000007